(57)【要約】【課題】点検時に電力供給源を切り替える動作を行っても、電力を途切れることなく通信部に供給することができる照明装置を提供することである。【解決手段】実施形態の照明装置１０は、光源１１と、外部電源１８から供給された電力を充電可能な蓄電池１２と、外部電源１８または蓄電池１２からの電力供給により光源１１を点灯させる制御部１３と、外部電源１８または蓄電池１２からの電力の供給により無線信号を送信する通信部１４と、自機の搭載部品を点検する点検部１５と、点検部１５による点検時に外部電源１８からの電力の供給を遮断し、蓄電池１２の電力を光源１１に供給できるように切替えるとともに、外部電源１８の電力を通信部１４に供給できるように切り替える切替部２１、２２とを備える。【選択図】図２
2019133743.tif 000002
【特許請求の範囲】
【請求項１】
光源と；
外部電源から供給された電力を充電可能な蓄電池と；
前記外部電源または前記蓄電池からの電力供給により前記光源を点灯させる制御部と；
前記外部電源または前記蓄電池からの電力の供給により無線信号を送信する通信部と；
自機の搭載部品を点検する点検部と；
前記点検部による点検時に前記外部電源からの電力の供給を遮断し、前記蓄電池の電力を前記光源に供給できるように切替えるとともに、前記外部電源の電力を前記通信部に供給できるように切り替える切替部と；
を有していることを特徴とする照明装置。
【請求項２】
前記切替部は、非常時における外部電源から供給される電力の遮断時には前記蓄電池の電力を前記通信部に供給できるように切り替えられることを特徴とする請求項１記載の照明装置。
【請求項３】
前記通信部は、通常時と点検時は第１の情報を出力し、前記外部電源が遮断された非常時には前記第１の情報とは異なる第２の情報を出力することを特徴とする請求項２に記載の照明装置。
【請求項４】
前記制御部は、非常時に前記通信部が消費する前記蓄電池の電力量を推定して前記蓄電池を点検することを特徴とする請求項１ないし請求項３のいずれか一項に記載の照明装置。
【請求項５】
前記制御装置は、非常時に前記光源を所定の時間点灯させる電力が不足する場合、前記通信部に供給する電力を遮断し、前記蓄電池の電力を前記光源に優先して供給することを特徴とする請求項２ないし請求項４のいずれか一項に記載の照明装置。
【発明の詳細な説明】
【技術分野】
【０００１】
本発明の実施形態は、照明装置に関する。
【背景技術】
【０００２】
近年、携帯端末や、スマートフォンといった携帯型端末装置の普及により、ネットワークを介した広告配信などのネットワークを用いてサービス情報配信を行うシステムが増加している。ネットワークを用いたサービス情報配信としては、広告配信の他にも災害時などの非常時における避難場所などの情報の配信やイベント情報の配信など様々な形態がある。
【０００３】
サービスの情報配信としては、たとえば、ビーコンを用いたシステムが考えられている。ビーコンは赤外線通信などの無線通信によってデータを送信する無線通信機であり、このビーコンを天井に設置された照明装置に搭載することにより、施設を利用する利用者の端末に対しサービス情報を送信できる。
【０００４】
蓄電池を備えた非常灯や誘導灯にこのビーコンを取付けることにより、災害時でも蓄電池からの電力の供給によりビーコンを駆動する方式がある（特許文献１参照）。
【０００５】
しかしながら、非常灯や誘導灯のような非常用照明装置は法令により非常用照明装置の点検を定期的に行うことが定められており、点検時は商用電源からの電力の供給を一時的に遮断し蓄電池に切り替える必要がある。点検を実施した場合、外部電源から蓄電池への電力供給源の切り替えに伴いビーコンに供給される電力が一瞬だが途切れる。そのため、ビーコンから情報を送信中に点検作業を行うと電力が一瞬途切れた影響により情報送信が途切れ違和感が生じる問題がある。
【先行技術文献】
【特許文献】
【０００６】
【特許文献１】特開２０１６−１８１４４９号公報
【発明の概要】
【発明が解決しようとする課題】
【０００７】
本発明が解決しようとする課題は、点検時に電力供給源を切り替える動作を行っても、電力を途切れることなく通信部に供給することができる照明装置を提供することである。
【課題を解決するための手段】
【０００８】
実施形態の照明装置は、光源と、外部電源から供給された電力を充電可能な蓄電池と、外部電源または蓄電池からの電力供給により光源を点灯させる制御部と、外部電源または蓄電池からの電力の供給により無線信号を送信する通信部と、自機の搭載部品を点検する点検部と、点検部による点検時に外部電源からの電力の供給を遮断し、蓄電池の電力を光源に供給できるように切替えるとともに、外部電源の電力を通信部に供給できるように切り替える切替部とを備える。
【発明の効果】
【０００９】
本発明によれば、通信部から情報を送信中に点検作業を実施しても、通信部から情報を途切れることなく送信することが可能である。
【図面の簡単な説明】
【００１０】
【図１】第１の実施形態の照明装置を示す斜視図である。
【図２】同上照明装置の構成例を示すブロック図である。
【図３】同上照明装置の構成例を示し、通常時の動作を説明するためのブロック図である。
【図４】同上照明装置の構成例を示し、通常時の電力が供給される領域を説明するためのブロック図である。
【図５】同上照明装置の構成例を示し、点検時、災害時の動作を説明するためのブロック図である。
【図６】同上照明装置の構成例を示し、点検時の電力が供給される領域を説明するためのブロック図である。
【図７】同上照明装置の構成例を示し、災害時の電力が供給される領域を説明するためのブロック図である。
【図８】同上照明装置の切替部の動作を示す図である。
【図９】第２の実施形態の照明装置の構成例を示し、災害時の動作を説明するためのブロック図である。
【図１０】第２の実施形態の照明装置の構成例を示し、災害時の電力が供給される領域を説明するためのブロック図である。
【図１１】同上照明装置の切替部の動作を示す図である。
【発明を実施するための形態】
【００１１】
以下、第１の実施形態を図面を参照して説明する。
【００１２】
図１に示すように、照明装置１０は、外部電源による電力の供給が停止した場合に点灯する非常用照明装置、或いは、避難経路への誘導のため常時点灯する誘導用照明装置である。本実施形態の照明装置１０は、非常用照明装置（非常灯）を例としており、たとえばスーパーやデパートなどの店舗内の照明空間の天井面に等間隔に設置される
【００１３】
図２は、照明装置１０の構成を示している。この照明装置１０は、光源１１と、蓄電池１２と、制御部１３と、通信部１４と、停電検知部１６と、切替部である第１の切替部２１と、第２の切替部２２とを備え、これらは照明装置の筐体３０の内部に収納されている。制御部１３は、制御回路と充電回路/放電回路を備えており制御回路には点検部１５が設けられている。また、筐体３０の背面側には、外部電源１８と接続される端子台１９が設けられている。
【００１４】
光源１１は、たとえば発光ダイオード(ＬＥＤ)あるいはレーザダイオードなどの半導体発光素子、または、有機ＥＬ素子(ＯＬＥＤ)などで構成された発光モジュールが用いられ、白色光を出射するように構成されている。光源１１は、発光モジュールから放射された光の配光を制御する透明なガラス製または樹脂製のレンズを有する。
【００１５】
蓄電池１２は、筐体３０の内部に着脱可能な電池であり、ニカド電池、ニッケル水素電池、あるいはリチウムイオン電池などの充電可能な二次電池である。
【００１６】
外部電源１８は、商用交流電源、あるいは直流電源など、任意の電源とすることが可能である。本実施形態では、外部電源を商用交流電源としている。
【００１７】
端子台１９は、筐体３０の背面側に設けられており、図示しない電線を介して外部電源１８と制御部１３とを電気的に接続するものである。
【００１８】
制御部１３は、外部電源１８および蓄電池１２と電気的に接続されており、外部電源１８および蓄電池１２の電力を光源１１、通信部１４などに供給するものである。制御部１３の制御回路は、外部電源１８から供給された電力が端子台１９を介して供給される。制御回路は第１の接続部２１を介して充電回路/放電回路に接続される。制御部１３の充電回路/放電回路は、蓄電池１２の充電および放電を制御する機能を有しており、常用時には外部電源１８の電力を蓄電池１２に供給し蓄電池１２の充電を行い、非常時には蓄電池１２の電力を光源１１に供給するように制御する。
【００１９】
また、制御部１３の制御回路は、点検部１５および記憶部(図示しない)を備えており制御回路は充電回路/放電回路と通信可能であり、充電回路/放電回路を介して蓄電池１２の点検動作を行うことができる。
【００２０】
点検部１５は、たとえば、照明装置１０の表面に設けられた点検スイッチ（図示しない）を作業者が操作することにより蓄電池１２の点検を実施する。具体的には、充電回路/放電回路を介して蓄電池１２の電圧、電流、温度、放電時間及び放電回数を検知することにより蓄電池１２が正常に動作するか否かの点検を行い、これらの点検情報を記憶部に出力する。
【００２１】
記憶部は、揮発性メモリおよび不揮発性メモリなどから構成される。記憶部は、点検部１５から入力される点検情報や照明装置１０の製造番号、製造年月日などの情報を記憶する。
【００２２】
制御部１３の制御回路は、制御回路と充電回路/放電回路との間に設けられた第１の切替部２１および充電回路/放電回路と光源１１との間に設けられた第２の切替部２２をさ制御する機能を有する。制御回路は常用時、点検時、非常時に応じて各切替部の開閉を制御する。
【００２３】
停電検知部１６は、外部電源１８と制御部１３との間に設けられ、外部電源１８からの電力の供給の有無を検知し、制御部１３の制御回路に検知結果を送信する。
【００２４】
第１の切替部２１および第２の切替部２２は、たとえばリレースイッチであり、オンオフの切り替えにより電気的に接離を行う。第１の切替部２１は、制御部１３の制御回路と充電回路/放電回路との間に設けられ、第２の切替部２２は、制御部１３の充電回路/放電回路と光源１１との間に設けられる。第１の切替部２１および第２の切替部２２の切替動作については後述する。
【００２５】
通信部１４は、たとえばビーコンであり外部電源１８または蓄電池１２から供給された電力により駆動し、自身の記憶部（図示しない）に記憶した情報を外部に送信する。通信部１４は、たとえば、デパート内におけるその店舗が薦める商品やイベントなどのサービス情報を外部に送信する。店舗利用者は、たとえば、スマートフォンなどの外部端末を所持することにより通信部１４から送信されたサービス情報を受信することができる。
【００２６】
次に照明装置１０の動作について説明する。図３ないし図７は照明装置１０が非常灯である場合の構成例である。
[常用時]
【００２７】
図３および図４、図８を参照して常用時における照明装置１０の動作を説明する。図３に照明装置１０の構成例を示す。図４に照明装置１０の電力が供給される領域を示しており、斜線の領域は外部電源１８から電力が供給され駆動する領域である。また、図８に常用時の第１の切替部２１および第２の切替部２２の動作を示す。常用時は、制御部１３の制御回路は第１の切替部２１をオンにして接続状態にするとともに、第２の切替部２２はオフにして制御部１３と光源１１を分離状態にする。これにより、制御部１３は外部電源１８の電力を充電回路/放電回路を介して蓄電池１２に供給することにより蓄電池１２の充電を行う。また、光源１１には電力が供給されないため光源１１は消灯した状態となる。一方、通信部１４は、外部電源１８から供給された電力により駆動し、記憶部に記憶したサービス情報を外部へ送信する。
[点検時]
【００２８】
図５および図６、図８を参照して点検時における照明装置１０の動作を説明する。図５に照明装置１０の構成例を示す。図６に照明装置１０の電力が供給される領域を示しており、斜線の領域は外部電源１８から電力が供給され駆動する領域を示し、点線の領域は蓄電池１２から電力が供給され駆動する領域である。また、図８に点検時の第１の切替部２１および第２の切替部２２の動作を示す。点検作業者が、点検スイッチを操作することにより点検モードとなった場合、制御部１３の制御部は第１の切替部２１をオフにして制御部１３の制御回路と充電回路/放電回路を分離状態にするとともに、第２の切替部２２をオンにして制御部１３と光源１１を接続状態にする。これにより、充電回路/放電回路は蓄電池１２が蓄えた電力を光源１１に供給し光源１１を点灯させる。このとき、点検部１５は、蓄電池１２の電圧、電流、温度、放電時間及び放電回数を検知することにより蓄電池１２が正常に動作するか否かの点検を行い、これらの点検情報を記憶部に出力する。一方、第１の切替部２１は分離状態となっているため、外部電源１８の電力は制御部１３に供給されないが、通信部１４は制御回路を介して外部電源１８と接続されているため外部電源１８の電力は通信部１４に供給される。つまり、点検のために第１の切替部２１を分離状態にしても、通信部１４には外部電源１８の電力を継続して供給できるため安定して通信部１４からサービス情報を提供することができる。
【００２９】
よって、通信部１４からサービス情報を送信中に点検動作を行っても、通信部１４に電力を途切れることなく供給することができる。
[非常時]
【００３０】
図５および図７、図８を参照して非常時における照明装置１０の動作を説明する。図５に照明装置１０の構成例を示す。図７に照明装置１０の電力が供給される領域を示しており、点線の領域は蓄電池１２から電力が供給され駆動する領域である。また、図８に非常時の第１の切替部２１および第２の切替部２２の動作を示す。ここで非常時とは、たとえば災害などにより外部電源１８からの電力の供給が遮断された場合である。非常時に外部電源１８からの電力の供給が遮断された場合、停電検知部１６は非常時であると判断し制御部１３の制御回路に停電検知信号を送信する。信号を受信した制御回路は、第１の切替部２１をオフにして制御回路と充電回路/放電回路とを分離状態にするとともに、第２の切替部２２をオンにして充電回路/放電回路と光源１１とを接続状態にする。これにより、蓄電池１２の電力を光源１１に供給し、光源１１を点灯させる。ここで、第１の切替部２１は分離状態であるため通信部１４に蓄電池１２の電力が供給されない。そのため、非常時は通信部１４は動作を停止する。非常時から回復後に、外部電力１８からの電力の供給が復帰した場合、制御回路は、第１の切替部２１をオンにするとともに、第２の切替部２２をオフにして常用時と同様に外部電源１８の電力を蓄電池１２に供給して蓄電池１２は電力を充電する（図３）。このように、非常時は、第１の切替部２１をオフにすることで蓄電池１２の電力を光源１１の点灯に使用することができる。
【００３１】
次に、第２の実施形態の照明装置１０について説明する。
【００３２】
第２の実施形態の照明装置の基本構成は第１の実施の形態と同様であるが照明装置１０の停電検知部１６および通信部１４、点検部１５の機能の一部が相違している。
【００３３】
第２の実施形態の照明装置１０の制御回路は、外部電源１８からの電力の供給が遮断され停電検知部１６から停電検知信号を受信した場合、第１の切替部２１および第２の切替部を制御するとともに、通信部１４に電源の供給源が外部電源１８から蓄電池１２へ切り替わったことを表す切替通知信号を送信する。
【００３４】
通信部１４は、記憶部に第１の情報として店舗が薦める商品やイベントなどのサービス情報と、第２の情報として避難経路情報などの非常用情報を記憶している。つまり、第１の情報と第２の情報とは、種類が異なっている。通信部１４は、常用時および点検時は第１の情報を外部に送信する。一方、非常時に制御回路から切替通知信号を受信した場合、第２の情報を外部に送信する。
【００３５】
点検部１５は、点検時に、非常時に蓄電池１２の電力により通信部１４が駆動した場合の消費電力を推定して蓄電池１２の点検を実施する。
【００３６】
次に第２の実施形態の動作について説明する。
[非常時]
【００３７】
図９および図１０、図１１を参照して非常時における照明装置１０の動作を説明する。図１０に照明装置１０の電力が供給される領域を示しており、点線の領域は蓄電池１２から電力が供給され駆動する領域である。図９に第２の実施形態の照明装置１０の構成例を示す。また、図１１に非常時の第１の切替部２１および第２の切替部２２の動作を示す。ここで非常時とは、たとえば災害などにより外部電源１８からの電力の供給が遮断された場合である。非常時に外部電源１８からの電力の供給が遮断された場合、停電検知部１６は非常時であると判断し制御部１３の制御回路に停電検知信号を送信する。この信号を受信した制御回路は、通信部１４に電源の切替通知信号を送信するとともに、第１の切替部２１をオンにして制御回路と充電回路/放電回路とを接続状態、第２の切替部２２をオンにして充電回路/放電回路と光源１１とを接続状態にする。これにより、蓄電池１２の電力は、制御部１３の充電回路/放電回路を介して光源１１へ供給されるとともに制御回路を介して通信部１４に供給される。ここで、通信部１４は蓄電池１２の電力により駆動し、制御回路から送信された切替通知信号を受信することにより記憶部から第２の情報を呼び出し外部へ送信する。つまり、災害時に照明装置１０は蓄電池１２の電力により光源１１を点灯させながら通信部１４から情報を送信することができる。
【００３８】
また、制御部回路は、蓄電池１２が光源１１を所定の時間点灯させる電力が不足すると判断した場合、第１の切替部２１をオフにして通信部１４に供給する電力を遮断し、蓄電池１２の電力を光源１１に優先して供給してもよい。これにより、災害時に光源を点灯させながら非常用情報を送信できるとともに、光源１１を優先して所定の時間点灯させることができる。
【００３９】
非常時から回復後に、外部電力１８からの電力の供給が復帰した場合、制御回路は第２の切替部２２をオフにして常用時と同様に外部電源１８の電力を蓄電池１２に供給して蓄電池１２は電力を充電するとともに、通信部１４に切替通知信号を送信する。切替通知信号を受信した通信部１４は、外部電源１８から供給され電力で駆動し記憶部から第１の情報を呼び出し外部へ送信する。
[点検時]
【００４０】
第２の実施形態の点検時の動作は第１の実施形態の点検時と同様の動作である。相違点は、点検部１５が非常時に蓄電池１２の電力により通信部１４が駆動した場合の消費電力を推定して蓄電池１２の点検を実施する点である。たとえば、蓄電池１２の電力を光源１１と通信部１４に供給すると、通信部１４は蓄電池１２の１０％を消費する場合、点検時に点検部１５は、１０％消費されることを推定して蓄電池１２の点検を実施する。
【００４１】
つまり、点検時に通信部１４は、外部電力１８の電力で駆動するが、点検部１５が通信部１４で消費される電力を推定して蓄電池１２の点検を実施することにより、災害時に蓄電池１２の電力を光源１１と通信部１４に供給した場合と同等の点検結果が得られる。これにより、災害時と同等の条件で点検できるため災害時でも光源１１を所定の時間点灯させながら通信部１４から情報を提供することができる。
【００４２】
以上のように、照明装置１０は、通信部１４からサービス情報を送信中に点検動作を行っても、通信部１４に電力を途切れることなく供給することができることに加え、非常時には蓄電池１２の電力により非常用情報を提供することができる。
【００４３】
第１の実施形態及び第２の実施形態の照明装置１０は、非常灯の場合について説明したが、照明装置１０が誘導灯の場合は、第２の切替部２２を常にオンの状態にする。つまり、常用時、点検時、非常時においても制御部１３と光源１１とを接続状態にすることで外部電源１８または蓄電池１２の電力を光源１１に供給されるため、常に光源１１は点灯状態を保つことができる。
【００４４】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１０  照明装置
１１  光源
１２  蓄電池
１３  制御部
１４  通信部
１５  点検部
２１  第１の切替部
２２  第２の切替部
【図１】
2019133743.tif 000003
【図２】
2019133743.tif 000004
【図３】
2019133743.tif 000005
【図４】
2019133743.tif 000006
【図５】
2019133743.tif 000007
【図６】
2019133743.tif 000008
【図７】
2019133743.tif 000009
【図８】
2019133743.tif 000010
【図９】
2019133743.tif 000011
【図１０】
2019133743.tif 000012
【図１１】
2019133743.tif 000013